(57)【要約】【課題】流出路中の整流体による整流性を確保しつつ、導出動作を停止時の吐出パイプからの液体の切れを良化させること。【解決手段】本体転倒時に弁体６５により流出路６２を閉塞するケースユニット６６に連接される、屈曲部７０までの横流出部７１と屈曲部７０から吐出口６１に至る縦流出部７２を有する略Ｌ形状の吐出パイプ６７内部に一端を屈曲部７０近傍に設置した整流体７４を配置することにより、導出時の湯流れと、導出停止時の湯切れとを良化させ使い勝手を良くすることができる。【選択図】図２
2006122563.tif 000002
【特許請求の範囲】
【請求項１】
本体内部に設けた液体を収容する容器と、前記容器内の液体を導出手段により導水し、本体外に導出する下向き開口の吐出口まで通じる流出路と、前記吐出口を前記容器内の液体水位上限よりも高い位置に設けた屈曲部までの横流出部と前記屈曲部から吐出口に至る縦流出部を有する略Ｌ形状の吐出パイプを有し、さらに前記横流出部に設置した整流体の一端を前記屈曲部近傍に配置した電気湯沸かし器。
【請求項２】
吐出パイプの横流出部内部に設置された整流体の先端は、屈曲部先端より容器側に配置されている請求項１に記載の電気湯沸かし器。
【請求項３】
横流出部に整流体を設置した吐出パイプの屈曲部の位置は、流出路中での最も高い位置に構成した請求項１に記載の電気湯沸かし器。
【請求項４】
吐出パイプの内部の屈曲部より縦流出部方向にひさし状にせり出した堰は、屈曲部に配置した請求項１に記載の電気湯沸かし器。
【請求項５】
整流体に設けた係合部と、吐出パイプの流入側の端面に前記整流体係合部を回転止めして係合する取付け部とを設置した請求項４に記載の電気湯沸かし器。
【請求項６】
流出路の途中に本体転倒時に弁体により流出路を閉塞する上方開口の穴部を有するケースユニットを配置し、さらに、前記ケースユニットは、横流出部に設置した整流体の一端を屈曲部近傍に配置した吐出パイプに連接された請求項１に記載の電気湯沸かし器。
【請求項７】
ケースユニット上面開口穴部に整流体は、臨まないように設定されている請求項６記載の電気湯沸かし器。
【請求項８】
整流体は、吐出パイプとケースユニットにより挟持されている請求項６に記載の電気湯沸かし器。
【発明の詳細な説明】
【技術分野】
【０００１】
本発明は、容器に収容した液体を加熱・保温し、器体外へ導出する電気湯沸かし器に関するものである。
【背景技術】
【０００２】
従来、この種の電気湯沸かし器には、本体転倒時に湯口から本体外に熱湯が流出しないように、転倒時に出湯路を塞ぐように作動し、熱湯が本体外部へ流出することを防止するための転倒防止弁が出湯路途中に設けられていた。この転倒防止弁が通常の導出動作時に、湯流れの悪化を防止するため、転倒防止弁近傍に整流部を備えているものがあった（例えば、特許文献１参照）。液体を容器より導出する電動ポンプと、電動ポンプにより導出された液体は出湯路途中に設けられた転倒防止弁部の出口近傍に設けられた整流部により整流でき、湯口ではスムーズな流れとなり湯が飛び散ることを防止していた。
【特許文献１】実開平６−６８６３３号公報
【発明の開示】
【発明が解決しようとする課題】
【０００３】
しかしながら、前記従来の構成では、導出動作を停止した際、湯口まで導水されていた液体は容器に逆流するが、このとき湯口からの液体の切れが悪くなるという課題を有していた。
【０００４】
本発明は、上記従来の課題を解決するもので、導出停止時の湯切れ性を維持しつつ、導出時の湯流れを良化させ使い勝手の良い電気湯沸かし器を提供することを目的とする。
【課題を解決するための手段】
【０００５】
前記従来の課題を解決するために、本発明の電気湯沸かし器は、屈曲部までの横流出部と前記屈曲部から吐出口に至る縦流出部を有する略Ｌ形状の吐出パイプ内部に一端を前記屈曲部近傍に設置した整流体を配置したものである。
【０００６】
これによって、導出時の湯流れと、導出停止時の湯切れの良化させ使い勝手の良い電気湯沸かし器を提供することができる。
【発明の効果】
【０００７】
本発明の電気湯沸かし器は、導出停止時の湯切れ性を維持しつつ、導出時の湯流れを良化させ使い勝手を良くすることができる。
【発明を実施するための最良の形態】
【０００８】
第１の発明は、屈曲部までの横流出部と前記屈曲部から吐出口に至る縦流出部を有する略Ｌ形状の吐出パイプ内部に一端を前記屈曲部近傍に設置した整流体を配置することにより、導出時の湯流れと、導出停止時の湯切れの良化させ使い勝手を良くすることができる。
【０００９】
第２の発明は、特に、第１の発明の、吐出パイプの横流出部内部に設置された整流体の先端を、屈曲部先端より容器側に配置するとすることにより、長年使用していくうちに、整流体の親和性が増加した場合でも導出停止後に整流体の表面に付着している液体が、不意に本体の外に滴下することを防止することができる。
【００１０】
第３の発明は、特に、第１の発明の、横流出部に整流体を設置した吐出パイプの屈曲部の位置を、流出路中での最も高い位置に設定するとすることにより、導出停止時に液体の逆流を促進するとともに、長年使用していくうちに、整流体の親和性が増加した場合でも整流体の表面に付着している液体を容器側に導水することができる。
【００１１】
第４の発明は、特に、第１の発明の、吐出パイプの内部に横流出部からの液体の流れを偏らせ縦流出部に送り込む堰を、横流出部と縦流出部の接合部である容器内の液体水位上限よりも高い位置に設けた屈曲部付近に配置することにより、導出停止時に屈曲部付近まで空気の取り込みを積極的に行い、吐出パイプの親和性が増加した場合でもサイフォン現象を確実に発生させることが可能となり、湯切れ性を維持することができる。
【００１２】
第５の発明は、特に、第４の発明に、整流体に設けた係合部と、吐出パイプの流入側の端面に前記整流体係合部を回転止めして係合する取付け部を設けるとすることにより、整流体の回転を一定の範囲に位置決めを行い、吐出パイプの縦流出部内で液体の流れる位置が傾くことを防止し、整流体による整流効果を損なわないようにすることができる。
【００１３】
第６の発明は、特に、第１の発明の、本体転倒時に弁体により流出路を閉塞するケースユニットに連接される、屈曲部までの横流出部と前記屈曲部から吐出口に至る縦流出部を有する略Ｌ形状の吐出パイプ内部に一端を、前記屈曲部近傍に設置した整流体を配置するとすることにより、ケースユニット内の弁体による湯流れの乱れを抑制することで導出時の湯流れの良化を維持することができる。
【００１４】
第７の発明は、特に、第６の発明の整流体を、ケースユニット上面開口穴部に臨まないように設定するとすることにより、上面開口穴部の空間を確保し、流出路内の流速増加を防止し、整流体の整流作用を促進し導出時の湯流れを良化させることができる。
【００１５】
第８の発明は、特に、第６の発明の整流体を、吐出パイプとケースユニットにより挟持させて取り付けるとすることにより、長年使用していくうちに、整流体が液体の流れによって位置が変わることなく、整流体による整流効果を安定して得ることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における電気湯沸かし器の簡略断面図である。
【００１８】
図１において、ボデー５１は外郭を構成し、液体５２を収容する容器５３を内包している。上枠５４はボデー５１の上部に載置し、中央開口部に容器５３を載置している。発熱体５５は液体５２を加熱・保温し、容器５３の底面部に固着している。蓋体５６は容器５３の上方開口部を覆い、内部には、本体転倒時に蒸気通路閉塞弁５７により閉塞される圧力排出孔５８を有する蒸気通路５９を配置している。
【００１９】
ポンプ６０は液体５２を導出し、上枠５４に設置したスイッチ６３を操作させている間、吐出口６１に至る流出路６２に介して、液体５２を本体外部に導出させる。流出路６２は水管６４、ケースユニット６６、吐出口６１を有する吐出パイプ６７より構成されている。水管６４の両端は材料がゴム製のパッキン６８ａ、６８ｂにより下端をポンプ６０、上端を前記ケースユニット６６に接続されている。
【００２０】
図２は、ケースユニット６６の詳細断面図である。ケースユニット６６は、上ケース６６ａの転倒流出制御口６６ｃを、本体転倒時に閉口状態にするように配置した弁体６５を有する。また、上ケース６６ａは、下ケース６６ｂに溶着などの手段により水密に接合されている。なお、通常導出時に、弁体６５が作動しないように、外リブ６６ｅが設けられている。
【００２１】
また、弁体６５は、ガイドリブ６６ｄにより平坦部６５ａを転倒流出制御口６６ｃに対向させ、空間Ｚを確保するようになっている。
【００２２】
吐出パイプ６７は、容器５３内の液体水位上限Ｈ（図１参照、水位上限とは、例えば容器内部に液体の投入限度を文字や記号などで使用者に示された水位上限、あるいは他の視覚的あるいは聴覚的手段で液体の投入限度が報知されるものが含まれる）よりも高い位置に設けた屈曲部７０までの横流出部７１と、屈曲部７０から吐出口６１に至る縦流出部７２とを有し略Ｌ形状となっている。尚、屈曲部７０は流出路６２内で最も高い位置に設定されている。
【００２３】
また、屈曲部７０付近には、縦流出部７２方向にひさし状にせり出した堰７３が配置されており、更に横流出部７１内部には一端を屈曲部７０近傍に配置するように整流体７４が取付けられている。整流体７４の端部７４ａは屈曲部７０よりも容器５３側に配置されている。
【００２４】
図３は、吐出パイプ６７と整流体７４の組立状態を示す斜視図である。整流体７４は、横流出部７１の端面の一部に段差Ｘの段部を付けて設けた取付け面７１ａ、回転止め部７１ｂに一方整流体７４の厚みＹの整流体係止部７４ｂをセットすることで、吐出パイプ６７内での位置を規制している。このとき吐出パイプ６７の段部の段差Ｘと整流体係止部７４ｂの厚みＹは、Ｘ≧Ｙとし、セット時に整流体係止部７４ｂが吐出パイプ６７の端部７１ｃより飛び出ないように設定している。
【００２５】
図４は、吐出パイプ６７に整流体７４を装着したときの横流出部７１の整流体７４の圧入リブ７４ｃがある部分の断面図である。整流体７４は、吐出パイプ６７の上側を大きく開口するように下面を接触させた略Ｕ字形状に断面が設定されており、圧入リブ７４ｃの左右リブにより端部７４ａの左右振れを防止している。
【００２６】
整流体７４の上面７４ｄは液体流入側では、横流出部７１の断面を緩やかに変化させるような傾斜部７４ｇを設けている。また、屈曲部７０付近では、整流体７４の上面７４ｄに沿って流れる液体５２を急激に剥離しないように角に大きなコーナーＲをとっている（図３参照）。
【００２７】
また、整流体７４の下部には肉盗み部７４ｅがあり、前記肉盗み部７４ｅに液体５２が残らないように整流体係止部７４ｂの一部に切り欠部７４ｆを設けている（図３参照）。整流体７４をセットした吐出パイプ６７は、ケースユニット６６に取付けられる。
【００２８】
図５は、ケースユニット６６の吐出パイプ６７の取付け部６６ｆの部分斜視図である。整流体７４をセットされた吐出パイプ６７は、ケースユニット６６の取付け部６６ｆの奥位置決め部６６ｇに当接するまで挿入される。このとき、整流体７４の係合部７４ｂは、吐出パイプ６７の横流出部７１に設けられた取付け面７１ａとケースユニット６６の取付け部６６ｆの奥位置決め部６６ｇに挟持さことになる。また、整流体７４は、転倒流出制御口６６ｃに臨まないように配置されている。
【００２９】
吐出パイプ６７の突起部６７ａ（図３参照）は、ケースユニット６６に設けた回り止め部６６ｈで、吐出パイプ６７をケースユニット６６の正規の位置に取付けるようにしている。
【００３０】
以上のように形成された電気湯沸かし器について、以下その動作、作用を説明する。
【００３１】
容器５３に投入された液体５２は、発熱体５５により加熱され保温される。保温中の液体５２を吐出口６１から導出させるために、上枠５４に設置したスイッチ６３を操作してポンプ６０を作動させ、液体５２は水管６４を通過し、ケースユニット６６を介して、吐出パイプ６７の吐出口６１に導出される。このとき、液体５２はケースユニット６６内の弁体６５やその周囲のリブ６６ｄ、外リブ６６ｅや、弁体６５の平坦部６５ａと転倒流出制御口６６ｃの空間Ｚ、転倒流出制御口６６ｃ等の流路抵抗増加のためその流れは乱れることになる。これらの要因で流れが乱れている液体５２は整流体７４の上面７４ｄの横流出部７１の断面を緩やかに変化させながら、断面を略Ｕ字形状にした横流出部７１に送り込まれることにより、横流出部７１の内壁と、整流体７４の表面に沿うような流れに整流される。吐出パイプ６７の屈曲部７０付近に至ると横流出部７１で整流された液体５２は縦流出部７２に流れ込む。
【００３２】
図６は吐出パイプ６７に液体５２が導出されているときの縦流出部７２の断面図である。液体５２は縦流出部７２の内面に沿うように流れ吐出口６１に至る。図６に示すように、整流体７４の上面７４ｄのコーナーＲの作用により、整流体７４による急激な剥離が発生しないため、屈曲部７０で発生する空気の流れ込む空間を小さくすることで、縦流出部７２に流れ込む液体５２の流れる断面積が確保し、導出速度を低下させることができる。このことにより、空気空間への液体５２の飛散も防止することができる。
【００３３】
また、この空気の流れ込む空間を安定させるために本発明では吐出パイプ６７と整流体７４は、係合部７４ｂと横流出部７１の回転止め部７１ｂ、圧入リブ７４ｃにより吐出パイプ６７内の整流体７４の位置を規制しているため、吐出口６１から流れ出る液体５２は位置を安定させることができる。
【００３４】
吐出口６１から導出を停止させるために、上枠５４に設置したスイッチ６３の操作を停止し、ポンプ６０の作動を止めると、吐出パイプ６７内では容器５３内の液体水位上限Ｈよりも高い位置に設けた屈曲部７０まで空気の流れ込む空間を確保しているため、縦流出部７２の液体５２は吐出口６１より外部に導出してしまい、横流出部７１ではサイフォン現象が起こり、液体５２の流れが瞬時に停止し、容器５３側に逆流を開始させる。
【００３５】
吐出口６１から導出を停止させた後、液体５２の大部分は、容器５３側に逆流するが、吐出パイプ６７の横流出部７１は内面表面、整流体７４の表面には、一部の液体５２が表面張力により残留する。
【００３６】
残留した液体５２は屈曲部７０を流出路６２内で最も高い位置に設定しているためサイフォン現象による液体５２の逆流後も容器５３側に液体５２を戻そうとする。このとき、整流体７４の端部７４ａは、屈曲部７０付近に配置されている堰７３よりも飛び出さないように配置されているため、確実に低い容器５３側に液体５３を戻すことができる。
【００３７】
また、整流体７４下部の肉盗み部７４ｅに残留した液体５２は整流体係止部７４ｂの一部に切り欠部７４ｆを通過させて容器５３側に液体５３を戻すことができる。
【００３８】
この液体５２が残留する現象は、電気湯沸かし器を使い始めた初期の状態では、吐出パイプ６７内面と整流体７４の液体５２の親和性が弱く、液体５２をはじくころは発生しにくいが、長期間使用していると吐出パイプ６７内面と整流体７４に水酸化カルシウムなどからなる水垢などが付着し、液体５２との親和性が大きくなり、発生しやすくなるが本発明の構成より、残留した液体５２が、不意に吐出口６１から滴下することを防止することができる。
【００３９】
また、屈曲部７０についても縦流出部７２方向にひさし状にせり出した堰７３が配置されているため、吐出パイプ６７内面親和性が大きくなった場合でも、堰７３の作用により屈曲部７０に流れ込む空気の空間が確保されることで、長期間使用しても、湯切れ性を確保することができる。
【００４０】
以上のように本実施の形態においては、屈曲部７０までの横流出部７１と屈曲部７０から吐出口６１に至る縦流出部７２を有する略Ｌ形状の吐出パイプ６７内部に一端を屈曲部７０近傍に設置した整流体７４を配置することにより、導出時の湯流れと、導出停止時の湯切れの良化させ使い勝手を良くすることができる。
【００４１】
また、本実施の形態の吐出パイプ６７の横流出部７１内部に設置された整流体７４の先端７４ａを屈曲部７０より容器５３側に配置することにより、長年使用していくうちに、整流体７４の親和性が増加した場合でも導出停止後に整流体の表面に付着している液体が、不意に本体の外に滴下することを防止することができる。
【００４２】
また、本実施の形態の横流出部７１に整流体７４を設置した吐出パイプ６７の屈曲部７０の位置が流出路６２中での最も高い位置に構成することにより、導出停止時に液体の逆流を促進するとともに、長年使用していくうちに、整流体７４の親和性が増加した場合でも整流体の表面に付着している液体を容器側に導水することができる。
【００４３】
また、本実施の形態の吐出パイプ６７の内部に横流出部７１からの液体の流れを偏らせ縦流出部７４に送り込む堰７３を容器５３内の液体水位上限よりも高い位置に設けた屈曲部７０付近に配置することにより、導出停止時に屈曲部７０付近まで空気の取り込みを積極的に行い、吐出パイプの親和性が増加した場合でもサイフォン現象を確実に発生させることが可能となり、湯切れ性を維持することができる。
【００４４】
また、本実施の形態の吐出パイプ６７の流入側の端面７１ｃに回転止め部７１ｂを有する取付け面７１ａを設け、整流体７４の係合部７４ｂと、回転止めして係合することで、整流体７４の回転を一定の範囲に位置決めを行い、吐出パイプ６７の縦流出部７２内で液体５２の流れる位置が傾くことを防止し、整流体７４による整流効果を損なわないようにすることができる。
【００４５】
また、本実施の形態の本体転倒時に弁体５７により流出路６２を閉塞するケースユニット６６に連接される、屈曲部７０までの横流出部７１と前記屈曲部７０から吐出口６１に至る縦流出部７２を有する略Ｌ形状の吐出パイプ６７内部に一端を屈曲部７０近傍に設置した整流体７４を配置することにより、ケースユニット６６内の弁体６５による湯流れの乱れを抑制することで導出時の湯流れの良化を維持することができる。
【００４６】
また、本実施の形態の整流体７４は、ケースユニット６６の転倒流出制御口６６ｃに臨まないように設定することにより、転倒流出制御口６６ｃの出口付近の開口空間を確保することで、流出路６２内の流速増加を防止し、整流体７４の整流作用を促進し導出時の湯流れを良化させることができる。
【００４７】
また、本実施の形態の整流体７４の取付けを吐出パイプ６７とケースユニット６６により挟持させることにより、長年使用していくうちに、整流体７４が液体の流れによって位置が変わることなく、整流体７４による整流効果を安定して得ることができる。
【産業上の利用可能性】
【００４８】
本発明の電気湯沸かし器は、液体収納容器から外部に液体を導水するときの、液体の流れ、切れ、長期使用による親和性増加による不意な液体滴下防止構成であるため、給水器等の用途にも適用できる。
【図面の簡単な説明】
【００４９】
【図１】本発明の第１の実施の形態における電気湯沸かし器の簡略断面図
【図２】本発明の第１の実施の形態における電気湯沸かし器のケースユニットの要部断面図
【図３】本発明の第１の実施の形態における電気湯沸かし器の吐出パイプと整流体の組立状態を示す斜視図
【図４】本発明の第１の実施の形態における電気湯沸かし器の吐出パイプに整流体を装着したときの圧入リブがある部分の断面図
【図５】本発明の第１の実施の形態における電気湯沸かし器のケースユニットの吐出パイプ取付け部の部分斜視図
【図６】本発明の第１の実施の形態における電気湯沸かし器の吐出パイプに液体が導出されているときの縦流出部の断面図
【符号の説明】
【００５０】
５１  ボデー
５２  液体
５３  容器
６０  ポンプ（導出手段）
６１  吐出口
６２  流出路
６５  弁体
６６  ケースユニット
６６ｃ  転倒流出制御口（上方開口の穴部）
６７  吐出パイプ
７０  屈曲部
７１  横流出部
７１ａ  取付け部
７１ｂ  回転止め部
７２  縦流出部
７３  堰
７４  整流体
７４ｂ  係合部
【図１】
2006122563.tif 000003
【図２】
2006122563.tif 000004
【図３】
2006122563.tif 000005
【図４】
2006122563.tif 000006
【図５】
2006122563.tif 000007
【図６】
2006122563.tif 000008